(57)【特許請求の範囲】
【請求項１】
単一のチャックを有する手持ち式動力往復鋸で使用される往復鋸ブレードであって、
当該往復鋸ブレードは、前記チャックが当該往復鋸ブレードの一端に解除可能に結合することにより前記往復鋸によって往復運動するよう駆動され、このとき往復鋸ブレードの他端は前記往復鋸には結合されておらず、
前記往復鋸ブレードは、
第１の端部および第２の端部を規定するブレード本体と、
前記ブレード本体の第１の端部に配置された第１のタングと、
前記ブレード本体の第２の端部に配置された第２のタングと、
前記ブレード本体の一方の側辺に配置された第１の切り刃と、
前記ブレード本体の他方の側辺に配置された第２の切り刃と、
を備え、
前記第１の切り刃は、第１の切断方向を規定し、前記第１のタングから遠ざかると前記第１のタングの縁部の延び方向から離れるように第１の鋭角切断角度で角度付けられ、
前記第２の切り刃は、前記第１の切断方向と反対向きの第２の切断方向を規定し、前記第２のタングから遠ざかると前記第２のタングの縁部の延び方向から離れるように第２の鋭角切断角度で角度付けられている、
ことを特徴とする往復鋸ブレード。
【請求項２】
請求項１に記載の往復鋸ブレードであって、前記第１および第２のタングは、前記往復鋸の前記チャックによって交替可能におよび解除可能に結合可能であることを特徴とする往復鋸ブレード。
【請求項３】
請求項１に記載の往復鋸ブレードであって、前記第１の鋭角切断角度は、前記第１の切り刃と第１のタイプのワークピースを切断することとの少なくとも一方のための効果的な切断角度を規定し、前記第２の鋭角切断角度は、前記第２の切り刃と第２のタイプのワークピースを切断することとの少なくとも一方のための効果的な切断角度を規定することを特徴とする往復鋸ブレード。
【請求項４】
請求項１に記載の往復鋸ブレードであって、
前記第１の鋭角切断角度は、前記第１のタングの縁部の延び方向と、前記第１の切り刃の歯の先端の間に延びる平面、または前記第１の切り刃と、の間の角度によって規定され、
前記第２の鋭角切断角度は、前記第２のタングの縁部の延び方向と、前記第２の切り刃の歯の先端の間に延びる平面、または前記第２の切り刃と、の間の角度によって規定される、
ことを特徴とする往復鋸ブレード。
【請求項５】
請求項１に記載の往復鋸ブレードであって、前記第１および第２の切り刃の少なくとも一方は、少なくとも、複数の切歯を備えるか、または研磨面または砥粒によって規定されるか、または複数の切歯を備え、かつ研磨面または砥粒によって規定される、ことを特徴とする往復鋸ブレード。
【請求項６】
請求項１に記載の往復鋸ブレードであって、
前記第１のタングは、前記ブレード本体が第１のタングから延びる向きと逆向きに延び、さらに、タング本体と、前記タング本体から前記ブレード本体が延びる向きと逆向きに延びる、前記タングの幅が狭い部分を規定する第１のタングステムとを備え、
前記第２のタングは、前記ブレード本体が第２のタングから延びる向きと逆向きに延び、さらに、タング本体と、前記タング本体から前記ブレード本体が延びる向きと逆向きに延びる、前記タングの幅が狭い部分を規定する第２のタングステムとを備える、
ことを特徴とする往復鋸ブレード。
【請求項７】
（ｉ）手持ち式動力往復鋸で使用される往復鋸ブレードの第１の切り刃を往復運動するよう駆動し、前記第１の切り刃は往復運動の方向に対し第１の鋭角切断角度で角度付けられており、それによって前記第１の切り刃についての効果的な切断角度を規定する、ステップと、
（ｉｉ）前記往復鋸のチャックから前記往復鋸ブレードのタングを取り外し、前記ブレードを反転し、前記往復鋸ブレードの異なるタングを、前記往復鋸の前記チャックに取り付け、前記往復鋸ブレードの第２の切り刃であって前記第１の切り刃に対して前記往復鋸の反対側の側辺に配置された第２の切り刃を使用のために提供するステップと、
（ｉｉｉ）前記第２の切り刃を往復運動するよう駆動し、前記第２の切り刃は往復運動の方向に対し第２の鋭角切断角度で角度付けられており、それによって、前記第２の切り刃についての効果的な切断角度を規定する、ステップと、
を含むことを特徴とする方法。
【請求項８】
請求項７に記載の方法であって、前記ブレードの引きストロークおよび押しストロークのうちの一方の間、前記第１の切り刃によりワークピースを切断するステップと、前記ブレードの引きストロークおよび押しストロークのうちの他方の間、前記第２の切り刃により前記ワークピースを切断するステップとをさらに含むことを特徴とする方法。
【請求項９】
単一のチャックを有する手持ち式動力往復鋸で使用される往復鋸ブレードであって、  
当該往復鋸ブレードは、前記チャックが当該往復鋸ブレードの一端に解除可能に結合することにより前記往復鋸によって往復運動するよう駆動され、このとき往復鋸ブレードの他端は前記往復鋸には結合されておらず、
前記往復鋸ブレードは、
ブレード本体と、
前記ブレード本体の一つの端部に配置されたタングと、
前記ブレード本体の一方の側辺に配置された第１の切り刃と、
前記ブレード本体の他方の側辺に配置された第２の切り刃と、
を備え、
前記第１の切り刃は、複数の第１の切断セグメントまたは第１の切断要素のグループによって規定され、各第１の切断セグメントまたは各第１の切断要素のグループは、前記タングから遠ざかると、前記タングの縁部の延び方向またはブレードの延び方向軸線から離れるように第１の鋭角切断角度で傾斜し、各第１の切断セグメントまたは各第１の切断要素のグループは互いに異なる直線に沿って配置され、
前記第２の切り刃は、複数の第２の切断セグメントまたは第２の切断要素のグループによって規定され、各第２の切断セグメントまたは各第２の切断要素のグループは、前記タングから遠ざかると、前記タングの縁部の延び方向またはブレードの延び方向軸線から離れるように第２の鋭角切断角度で傾斜し、各第２の切断セグメントまたは各第２の切断要素のグループは互いに異なる直線に沿って配置される、
往復鋸ブレード。
【請求項１０】
請求項９に記載の往復鋸ブレードであって、前記第１の鋭角切断角度は、前記第１の切り刃と第１のタイプのワークピースを切断することとの少なくとも一方のための効果的な切断角度を規定し、前記第２の鋭角切断角度は、前記第２の切り刃と第２のタイプのワークピースを切断することとの少なくとも一方のための効果的な切断角度を規定することを特徴とする往復鋸ブレード。
【請求項１１】
請求項９に記載の往復鋸ブレードであって、
前記第１の鋭角切断角度は、前記タングの縁部の延び方向と、前記第１の切り刃の歯の先端の間に延びる平面、または前記対応する切り刃と、の間の角度によって規定され、
前記第２の鋭角切断角度は、前記タングの縁部の延び方向と、前記第２の切り刃の歯の先端の間に延びる平面、または前記第２の切り刃と、の間の角度によって規定される、
ことを特徴とする往復鋸ブレード。
【請求項１２】
請求項９に記載の往復鋸ブレードであって、前記第１および第２の切り刃の少なくとも一方は、少なくとも、複数の切歯を備えるか、または研磨面または砥粒によって規定されるか、または複数の切歯を備え、かつ研磨面または砥粒によって規定される、ことを特徴とする往復鋸ブレード。
【請求項１３】
請求項９に記載の往復鋸ブレードであって、前記タングの縁部の延び方向が前記ブレード本体の延び方向と平行であることを特徴とする往復鋸ブレード。
【請求項１４】
請求項９に記載の往復鋸ブレードであって、前記切断セグメントまたは前記切断要素は、切歯か、または少なくとも研磨面と砥粒のうち一方か、または切歯および少なくとも研磨面と砥粒のうち一方によって規定され、
各第１の切歯のグループが、当該第１の切歯のグループの歯の先端の間を延びる平面と、前記第１の延長タング縁部または前記ブレード本体の延び方向軸線との間に規定される各第１の鋭角切断角度を規定するか、
または、各第２の切歯のグループが、当該第２の切歯のグループの歯の先端の間を延びる平面と、前記第２の延長タング縁部または前記ブレード本体の延び方向軸線との間に規定される各第２の鋭角切断角度を規定するか、
または、前記各第１の切歯のグループが前記各第１の鋭角切断角度を規定し、かつ前記各第２の切歯のグループが前記各第２の鋭角切断角度を規定する、
ことを特徴とする往復鋸ブレード。
【請求項１５】
請求項１４に記載の往復鋸ブレードであって、少なくとも１つの切断セグメントが、複数の切歯によって規定され、少なくとも１つの他の切断セグメントが、研磨面および砥粒のうちの少なくとも一方によって規定されることを特徴とする往復鋸ブレード。
【請求項１６】
請求項１５に記載の往復鋸ブレードであって、前記各第１の鋭角切断角度は、互いに等しく、前記各第２の鋭角切断角度は、互いに等しいことを特徴とする往復鋸ブレード。
【請求項１７】
請求項１４に記載の往復鋸ブレードであって、前記第１および第２の鋭角切断角度は、約１°から約１０°の範囲内であることを特徴とする往復鋸ブレード。
【請求項１８】
（ｉ）手持ち式動力往復鋸で使用される往復鋸ブレードの第１の切り刃を往復運動するよう駆動し、前記第１の切り刃は、複数の第１の切断セグメントまたは第１の切断要素のグループによって規定され、各第１の切断セグメントまたは各第１の切断要素のグループは、前記往復鋸ブレードのタングから遠ざかると、前記タングの縁部の延び方向またはブレードの延び方向軸線から離れるように第１の鋭角切断角度で傾斜し、各第１の切断セグメントまたは各第１の切断要素のグループは互いに異なる直線に沿って配置され、それによって前記第１の切り刃についての効果的な切断角度を規定する、ステップと、
（ｉｉ）前記往復鋸のチャックから前記タングを取り外し、前記ブレードを裏返し、前記往復鋸ブレードの同じタングを、前記往復鋸の前記チャックに取り付け、前記往復鋸ブレードの第２の切り刃であって前記第１の切り刃に対して前記往復鋸の反対側の側辺に配置された第２の切り刃を使用のために提供するステップと、
（ｉｉｉ）前記第２の切り刃を往復運動するよう駆動し、前記第２の切り刃は、複数の第２の切断セグメントまたは第２の切断要素のグループによって規定され、各第２の切断セグメントまたは各第２の切断要素のグループは、前記タングから遠ざかると、前記タングの縁部の延び方向またはブレードの延び方向軸線から離れるように第２の鋭角切断角度で傾斜し、各第２の切断セグメントまたは各第２の切断要素のグループは互いに異なる直線に沿って配置され、それによって、前記第２の切り刃についての効果的な切断角度を規定する、ステップと、
を含むことを特徴とする方法。
【発明の詳細な説明】
【技術分野】
【０００１】
本発明は、鋸ブレードに関し、より詳細には、両側に切り刃を有する往復鋸ブレード、および関連する使用方法に関する。
【背景技術】
【０００２】
典型的な先行技術の往復鋸ブレードは、ブレードの片側に沿って互いに対し軸方向に離間された複数の歯によって規定された切り刃と、切り刃に対しブレードの反対側に形成された非稼働刃とを有するブレード部分を含む。このような往復鋸ブレードの内端は、ブレードを往復鋸のチャックに解除可能に連結するためのタングを規定する。往復鋸ブレードの外端は、タングを規定せず、往復鋸のチャックに連結可能ではない。むしろ、往復鋸ブレードの外端は、自由端を規定し、このような鋸ブレードの切り刃は、自由端の遠位先端にまで延びている。
【０００３】
往復鋸マシンは、往復鋸ブレードの一端のみ（すなわち、鋸ブレードの内端のタング）に解除可能に結合し、内端を駆動し、そうしてワークピースを通過する往復運動をするよう鋸ブレードを駆動するチャックを含む手持ち式動力鋸である。往復鋸マシンは、一般的に、電動機によって駆動され（例えば、コード付きもしくはコードレス鋸）、または空圧式で駆動される。この往復運動は、軌道に沿った（オービタル：orbital）切断動作、直線すなわち線形切断動作、または屈曲（アングル：angle）切断動作でありうる。往復鋸は、レシプソー（recip saw）またはジグソー（jig saw）と呼ばれることがあり、また、往復鋸ブレードは、レシプブレードまたはジグソーブレードと呼ばれることがある。ジグソーは、水平面で快適に使用されるように配向されたハンドルおよび比較的小さく薄いブレードを備える。レシプソーは、一般的に、より大きなブレード、およびジグソーのブレード実装アセンブリに類似するブレード実装アセンブリを有するが、垂直面で鋸を快適に使用できるように配向されたハンドルも備える。周知の往復鋸は、Ｍｉｌｗａｕｋｅｅ  Ｅｌｅｃｔｒｉｃ  Ｔｏｏｌ  Ｃｏｒｐｏｒａｔｉｏｎによる「Ｓａｗｚａｌｌ（商標）」、およびＰｏｒｔｅｒ−Ｃａｂｌｅ  Ｃｏｒｐｏｒａｔｉｏｎによる「Ｔｉｇｅｒ  Ｓａｗ（商標）」の商標名で販売されている。往復鋸ブレードは、レシプソーまたはジグソーなどの往復鋸で使用されるように適合された鋸ブレードであり、このブレードの内端は、往復鋸のチャックに結合し、外端は、使用の際にチャックに結合しないブレードの自由端である。
【０００４】
標準化または汎用化チャックおよび対応するタングにより、往復鋸の使用者が、容易にブレードの摩耗のため往復鋸ブレードを変更し、または鋸ブレードを特定の切断用途に合うようにカスタマイズすることが可能になる。様々な切断用途は、薄い金属、厚い金属、硬質金属、軟質金属、木材、木材と釘、乾式壁、タイルなど、切断される材料のタイプによって規定される。先行技術では、様々なタイプのレシプブレードが様々な切断用途のために設計されている。例えば、細かな歯を有するブレードは金属を切断するために使用することができ、研磨ブレードはタイルを切断するために使用することができる。同様に、長い汎用ブレードは、乾式壁から大枝、材木、釘に至るまで様々な材料を切断するために使用することができる。
【０００５】
典型的な先行技術の往復鋸ブレードは単一の切り刃のみを備えるため、基本的な問題が解決されないままである。単一の切り刃が、望まれるより早期に摩耗し、そのためブレード全体の廃棄が必要なことがありうる。単一のそのような切り刃のみを備えることにより、製造および材料のコストが不必要に高くなることがある。この問題は、比較的高価なブレード、および／または比較的高価な切り刃材料を用いて作製されたブレード、例えば、カーバイドおよび／またはダイアモンドの砥粒の切り刃を有する往復鋸ブレードに関連して深刻となりうる。単一の切り刃はまた、切断用途に応じて使用ごとに往復鋸ブレードを変更しなければならないという実用上の問題がある。
【０００６】
これらの問題を解決するために様々な試みがなされている。最も一般的であるのは、鋸ブレードの歯の形態または歯の幾何学形状が、汎用または多目的の切断用途に適切と考えられるパターンを有することである。別の試みでは、様々な切断用途のための複数の鋸ブレードを使用する。しかし、これらの解決策には欠点がある。
【０００７】
複数の異なる用途で切断するように設計された汎用ブレードは、一般的に非効果的かつ非効率的であり、任意の１つの切断用途に望ましいものよりも性能を犠牲にしている。例えば、薄い金属の用途では、厚い金属の用途と異なるブレード歯の構成を要し、厚い金属の用途では、木材のみまたは木材と釘の用途と異なるブレード歯の構成を要する。このように、要件は、それぞれの切断用途によって異なり、厚い金属および薄い金属または木材のみもしくは木材と釘の用途間で大幅に異なることがある。
【０００８】
単一目的または特定用途のレシプブレードは、効果的な切断についてタング角度に依存する。タング角度は、ブレード切り刃がブレードの往復の方向または軸線に対して配向される角度である。個々の用途の切り刃を有する先行技術の二切り刃レシプブレードでは、タング角度の欠如が性能の低下をもたらす。この性能の低下は、一方の切り刃が当該の切り刃の用途について効果的なタング角度を有しうるが、他方の切り刃が通常、その切り刃を非効果的および／または非効率的にする負のタング角度を有するために生じるものである。したがって、このような先行技術の二切り刃レシプブレードでは、優れた性能の切り刃と低性能の切り刃がある。少なくとも一部の先行技術の二切り刃レシプブレードでは、ブレードがタング角度を有しておらず、結果として二切り刃が低性能となる。
【先行技術文献】
【特許文献】
【０００９】
【特許文献１】米国特許第７，６００，４５８号明細書
【発明の概要】
【発明が解決しようとする課題】
【００１０】
本発明の目的は、先行技術の上記の欠点および／または不利益のうちの１つ以上を解消することである。
【課題を解決するための手段】
【００１１】
第１の態様によれば、本発明は、単一のチャックを有する手持ち式動力往復鋸で使用される往復鋸ブレードであって、チャックは、往復鋸ブレードの一端に解除可能に結合し、それにより往復鋸によって往復運動するよう駆動され、このとき往復鋸ブレードの他端は往復鋸に結合されていない往復鋸ブレードに関する。往復鋸ブレードは、第１の端部および第２の端部を規定するブレード本体を備え、第１の端部には第１のタングが、第２の端部には第２のタングが配置される。第１の切り刃は、ブレード本体の一方の側辺に配置され、第２の切り刃は、ブレード本体の反対の側辺に配置される。第１の切り刃は、第１の切断方向を規定し、第１のタングから遠ざかると第１のタングの縁部の延び方向から離れるように第１の鋭角切断角度で角度付けられる。第２の切り刃は、第１の切断方向と反対向きの第２の切断方向を規定し、第２のタングから遠ざかると第２のタングの縁部の延び方向から離れるように第２の鋭角切断角度で角度付けられる。
【００１２】
第１の態様に係る実施形態では、第１および第２のタングは、往復鋸のチャックによって交替可能におよび解除可能に結合可能である。
【００１３】
第２の態様によれば、本発明は、単一のチャックを有する手持ち式動力往復鋸で使用される往復鋸ブレードであって、チャックは、往復鋸ブレードの一端に解除可能に結合し、それにより往復鋸によって往復運動するよう駆動され、このとき往復鋸ブレードの他端は往復鋸には結合されていない往復鋸ブレードに関し、タングがブレード本体の一端に配置される。ブレード本体の一方の側辺に第１の切り刃が配置され、他方の側辺に第２の切り刃が配置される。第１の切り刃は、複数の第１のグループの切断要素によって規定される。各第１の切断要素のグループは、タングから遠ざかると、タングの縁部の延び方向またはブレードの延び方向軸線から離れるように第１の鋭角切断角度で傾斜される。各第１の切断要素のグループは互いに異なる直線に沿って配置される。第２の切り刃は、複数の第２の切断要素のグループによって規定される。各第２の切断要素のグループは、タングから遠ざかると、タングの縁部の延び方向またはブレードの延び方向軸線から離れるように第２の鋭角切断角度で傾斜される。各第２の切断要素のグループは互いに異なる直線に沿って配置される。
【００１４】
前記第１および第２の態様に係る実施形態では、第１の鋭角切断角度は、第１のタイプの切り刃のため、および／または第１のタイプのワークピースを切断するための効果的な切断角度を規定し、第２の鋭角切断角度は、第２のタイプの切り刃のため、および／または第２のタイプのワークピースを切断するための効果的な切断角度を規定する。さらなる実施形態では、第１および第２の鋭角切断角度のそれぞれは、約１°から約１０°の範囲内であり、好ましくは約３°から約８°の範囲内であり、さらにより好ましくは約５°から約７°の範囲内である。
【００１５】
前記第１の態様に係る実施形態では、第１および第２の切り刃の少なくとも一方は、複数の切歯を備える。第１および第２の切り刃の双方が複数の切歯を備える場合、第１の切り刃は、第１の歯の形態、ピッチ、歯の高さ、および歯のあさりのうちの少なくとも１つを規定し、第２の切り刃は、第１の歯の形態、ピッチ、歯の高さ、または歯セットとは異なる第２の歯の形態、ピッチ、歯の高さ、および歯セットのうちの少なくとも１つを規定する。他の実施態様では、第１および第２の切り刃のうちの少なくとも一方は、研磨面または砥粒によって規定される。
【００１６】
前記第２の態様に係る実施形態では、第１の切り刃は、複数の第１の歯のグループを備える。各第１の歯のグループは、当該第１の歯のグループの歯の先端の間を延びる平面と、タングの縁部またはブレード本体の延び方向軸線との間の対応する第１の鋭角切断角度を規定する。複数の第１の鋭角切断角度は、ほぼ同じであってよい。第２の切り刃は、複数の第２の歯のグループを備える。各第２の歯のグループは、当該第２の歯のグループの歯の先端の間を延びる平面と、タングの延長縁部またはブレード本体の延長軸との間の対応する第２の鋭角切断角度を規定する。複数の第２の鋭角切断角度は、ほぼ同じであってよい。
【００２０】
第３の態様によれば、本発明は、
（ｉ）手持ち式動力往復鋸で使用される往復鋸ブレードの第１の切り刃を往復運動するよう駆動し、前記第１の切り刃は往復運動の方向に対し第１の鋭角切断角度で角度付けられており、それによって、第１の切り刃についての効果的な切断角度を規定する、ステップと、
（ｉｉ）往復鋸のチャックから往復鋸ブレードのタングを取り外し、ブレードを反転し、往復鋸ブレードの異なるタングを、往復鋸のチャックに取り付け、往復鋸ブレードの第２の切り刃であって第１の切り刃に対して往復鋸の反対側の側辺に配置された第２の切り刃を使用のために提供するステップと、
（ｉｉｉ）前記第２の切り刃を往復運動するよう駆動し、前記第２の切り刃は往復運動の方向に対し第２の鋭角切断角度で角度付けられており、それによって、第２の切り刃についての効果的な切断角度を規定する、ステップと、
を含む。
【００２１】
本発明のいくつかの実施形態は、ブレードの引きストロークおよび押しストロークのうちの一方の間、第１の切り刃によりワークピースを切断するステップと、ブレードの引きストロークおよび押しストロークのうちの他方の間、第２の切り刃によりワークピースを切断するステップとをさらに含む。
【００２２】
第４の態様によれば、本発明は、
（ｉ）手持ち式動力往復鋸で使用される往復鋸ブレードの第１の切り刃を往復運動するよう駆動し、前記第１の切り刃は往復運動の方向に対し第１の鋭角切断角度で角度付けられており、それによって、前記第１の切り刃についての効果的な切断角度を規定する、ステップと、
（ｉｉ）前記往復鋸のチャックから前記往復鋸ブレードのタングを取り外し、前記ブレードを裏返し、前記往復鋸ブレードの同じタングを、前記往復鋸の前記チャックに取り付け、前記往復鋸ブレードの第２の切り刃であって前記第１の切り刃に対して前記往復鋸の反対側の側辺に配置された第２の切り刃を使用のために提供するステップと、
（ｉｉｉ）前記第２の切り刃を往復運動するよう駆動し、前記第２の切り刃は往復運動の方向に対し第２の鋭角切断角度で角度付けられており、それによって、前記第２の切り刃についての効果的な切断角度を規定する、ステップと、
を含む。
【発明の効果】
【００２３】
本発明の１つの利点は、往復鋸ブレードが、単一刃往復ブレードの全てまたは実質的にすべての効果に加えて二刃ブレードの寿命および有用性を提供できることである。本発明の２個のタングを有する実施形態のさらなる利点は、第２のタングが、レシプブレードの両方の切り刃が（１つ以上の）それぞれの用途について効果的なタング角度を規定することを可能にし、それにより、先行技術の二または単一切り刃レシプブレードと比べて優れた性能を可能にすることである。その結果、ユーザが、それぞれ単一のブレード片で（１つ以上の）切断用途に最適化された２つの異なるブレードを効果的に使用することができる。
【００２４】
本発明の他の利点は、ブレードの第１の切り刃が摩耗したとき、ブレードを取り外し、反転または裏返して、同じタングの逆側または第２のタングをチャック内に挿入し、同じブレードの異なる切り刃を提供できることである。また、第２の切断用途のための第２のレシプブレードを探して選択する必要なしに、異なる切断用途のための第２の切り刃を選択するためにブレードを反転または裏返すことができる。 
【００２５】
結果として、本発明のブレードは、先行技術のレシプブレードと比べて著しく改善された摩耗寿命を得ることができる。さらに、本発明のブレードは、様々な切断用途について優れた性能を実現することができる。また、ブレードは、先行技術の単一切り刃レシプブレードと比べてユーザのためのより高い価値、および切り刃当たりのより低い製造および出荷コストを実現することができる。さらに別の利点は、単一ブレードが複数の切断用途に使用できるため、異なる切断用途のための複数の切り刃を必要とする作業をより早く完了できることである。
【００２６】
本発明および／またはその現時点で好ましい実施形態の他の目的および利点は、現時点で好ましい実施形態の以下の詳細な説明および添付図面を考慮すると、より容易に理解されることになる。
【図面の簡単な説明】
【００２７】
【図１】二切り刃およびブレードの一端上のタングを備える先行技術の往復鋸ブレードの側面図であり、タングが、第１の切り刃に関する効果的なタング角度、および第２の切り刃に関する負のタング角度を備える図である。
【図２】本発明の往復鋸ブレードの一実施形態の側面図であり、ブレードが、ブレードの一方側に配置された第１の切り刃と、ブレードの反対側に配置された第２の切り刃と、ブレードの一端に配置され、第１の切り刃に関する第１のまたは効果的なタング角度を規定する第１のタングと、ブレードの他端に配置され、ブレードの第２の切り刃に関する第２のまたは効果的なタング角度を規定する第２のタングとを備える図である。
【図２Ａ】ブレードの第１の切り刃の例示的切歯をさらに詳細に示す、図２のレシプブレードの拡大された部分側面図である。
【図２Ｂ】ブレードの第２の切り刃の例示的切歯をさらに詳細に示す、図２のレシプブレードの拡大された部分側面図である。
【図３】本発明の往復鋸ブレードの別の実施形態の側面図であり、ブレードが二切り刃を備え、各切り刃が切断セグメントまたは切歯のグループを複数含み、各グループはブレードのタングまたは長手方向軸に対して角度付けられて、それぞれの１つ以上の切断用途について切断セグメントまたは切歯の当該グループに関する有効な切断角を規定する図である。
【図３Ａ】図３の往復鋸ブレードの拡大された部分側面図であり、ブレードの二切り刃の１つにおける歯の各グループ、および歯の各グループがブレードのタングまたは長手方向軸に対して角度付けられる様式をさらに詳細に示す図である。
【発明を実施するための形態】
【００２８】
図面、具体的には図１を参照すると、先行技術の往復鋸ブレードが示されており、全体として参照番号１０で表されている。前述のように、往復鋸は、鋸ブレードに解除可能に結合し、鋸ブレードを往復運動するよう駆動するためのチャックまたは類似の機構を備える手持ち鋸である。往復鋸は、鋸ブレード１０を、一連の押しおよび引きストロークすなわち前進および戻りストロークの往復運動で移動させる。各ストローク中、鋸ブレード１０は、最後退位置と最前進位置の間で移動して、それにより切断作用をワークピースに与える。往復鋸ブレード１０がブレードの一端で往復鋸チャックによって結合されるとき、ブレードの反対端が、ワークピースに噛み込み、これを通過して移動することを可能とされた自由端を規定する。
【００２９】
往復鋸ブレード１０は、ブレード本体１１を備え、ブレード本体１１は、第１の切り刃１２および第２の切り刃１４を有する。切り刃のそれぞれは、１つ以上の切断用途のために構成された複数の切断要素（例えば、歯）を備える。例えば、第１の切り刃１２に配置された第１の切断要素１３は、金属を切断するように構成されてよく、第２の切り刃１４に配置された第２の切断要素１５（例えば、歯）は、木材を切断するように構成されてよい。往復鋸ブレード１０はさらに、単一のタング１６を備え、タング１６は、図１においてαで表されるタング角度を備える。
【００３０】
図１から理解できるように、一般的な二切り刃ブレード１０は、第１の切り刃１２の性能を改善するためにタング角度αを有する単一のタング１６を備える。しかし、第２の切り刃１４は性能が低く、それは、第１の切り刃１２が特定の用途について効果的なタング角度αを有するが、第２の切り刃１４はその切り刃を非効果的および／または非効率的にする負のタング角度を有するためである。したがって、このような先行技術の二切り刃ブレードでは、優れた性能の切り刃（例えば第１の切り刃１２）と低性能の切り刃（例えば第２の切り刃１４）とがある。少なくとも一部の他の設計（図示せず）では、ブレード１０がタング角度を有しておらず、結果として二切り刃が両側において低性能となる。
【００３１】
図２を参照すると、本発明の一実施形態による往復鋸ブレードが示されており、全体として参照番号２０で表されている。往復鋸ブレード２０は、第１のタング２４を備える第１の端部と第２のタング２６を備える第２の端部とを規定するブレード本体２２を備える。見て分かるように、第１のタング２４を備える第１の端部は、ブレード本体２２の一端に配置され、往復鋸のチャック（図示せず）に結合可能である。同様に、第２のタング２６を備える第２の端部は、ブレード本体２２の反対端に配置され、往復鋸のチャックに代替的に結合可能である。第１のタング２４および第２のタング２６の設計は、往復鋸ブレード２０をレシプソーに適合させており、したがって、ブレード２０はレシプブレードである。ブレード２０はさらに、ブレード２０の第１の端部と第２の端部の間にブレード本体２２の片側に沿って延びる第１の切り刃２８と、切り刃２８に対してブレード本体の反対側に配置される第２の切り刃３０とを備える。図示の実施形態では、さらに後述するように、切り刃２８および３０は、およそブレード本体２２の一端からブレード本体の反対端に延びる実質的に均一な切り刃である。第１の切り刃２８は、第１の矢印３２で示される第１の切断方向を規定し、第２の切り刃３０は、第２の矢印３４で示される第２の切断方向を規定する。図示の実施形態では、第１の切断方向３２は、第２の切断方向３４の反対または実質的に反対である。図示の実施形態では、第１の切り刃２８は、第２の切り刃３０に実質的に平行である。しかし、本明細書の教示に基づいて関連技術の当業者によって理解されうるように、切り刃２８、３０の配向、形状、および／または構成は、異なる切断用途を達成する必要に応じてまたは他の所望の形で異なることがある。
【００３２】
第１のタング２４は、第１の端部を往復鋸に解除可能に固着し、第２の端部および第２のタング２６とともに鋸ブレード２０の自由端を形成するために往復鋸のチャックに結合可能であり、この自由端は、第１の切断方向３２に往復鋸によって往復運動するよう駆動可能である。同様に、第２のタング２６は、第２の端部を往復鋸に解除可能に固着し、第１の端部および第１のタング２４とともに鋸ブレード２０の自由端を形成するために往復鋸のチャックに代替的に結合可能であり、この自由端は、第２の切断方向３４に往復鋸によって往復運動するよう駆動可能である。したがって、往復鋸ブレード２０の一端のみがいずれの時点でも往復鋸のチャックに結合されており、往復鋸ブレードの他端は、往復鋸によって、ワークピースに噛み込んでそれを通過する往復運動をするよう駆動される自由端を規定する。往復運動において効果的に動作するために、また、例えばスクロール鋸ブレードと対照的に、往復鋸ブレード２０の本体２２は、ブレード２０の反対側の自由端がワークピースに噛み込んでしてそれを通過する往復運動をするよう駆動される一方、ブレード２０が一端のみで往復鋸のチャックによって結合されることが可能なように十分に堅固でなければならない。図示の実施形態では、ブレード本体２２は、炭素鋼またはバネ鋼などの金属で形成される。図２に示すように、ブレード２０は、第１のタング２４の端部から第２のタング２６に延びている全長Ｌを規定し、第１の切り刃は、第１のタング２４の端部と第１の切り刃２８の反対端部との間に延びている長さＬ１を規定し、第２の切り刃は、第２のタング２６の端部と第２の切り刃３０の反対端部との間に延びている長さＬ２を規定し、ブレード本体２２は、幅Ｗを規定する。長さ「Ｌ」は、約４インチ（約１０ｃｍ）から約１２インチ（約３０ｃｍ）の範囲内であり、幅「Ｗ」は、約１／２インチ（約１．３ｃｍ）から約１＋１／２インチ（約３．８ｃｍ）の範囲内である。ブレード本体２２は、約２５／１０００インチ（約０．６４ｍｍ）から約７５／１０００インチ（約１．９０ｍｍ）の範囲内である厚さＴ（図示せず）を規定する。本明細書の教示に基づいて関連技術の当業者によって理解されうるように、これらの寸法は例示に過ぎず、所望に応じてまたは他の要求に応じて変更されうる。
【００３３】
本発明の図示の実施形態の１つの利点は、切り刃（２８または３０）のうちの１つが摩耗したとき、または特定の切断用途で指定されたとき、往復鋸においてブレードを反転して、他方の切り刃（２８または３０）を使用するために提供できることである。例えば、往復鋸ブレード２０が第１のタング２４によってチャックに解除可能に固着されているとき、第１の切り刃２８は、典型的には時間とともに損傷または摩耗することになり、または特定の切断用途に対して適正な切り刃ではないもしくは他の形で望ましくないことがある。したがって、第１の切り刃２８が摩耗または損傷すると、または特定の切断用途に対して適正な切り刃ではないもしくは他の形で望ましくない場合、第１のタング２４を往復鋸のチャックから外し往復鋸ブレード２０を反転すなわち１８０°回転させ、第２のタング２６をチャックに挿入し結合させて、第２の切り刃３０を使用するために提供することができる。結果として、本発明のブレードの摩耗寿命は、単一の切り刃を有する先行技術の往復鋸ブレードと比べて著しく延長されうる。本発明のこの態様は、特に、ダイアモンドグリットまたは他のカーバイドグリット切り刃のような比較的高価な切り刃を有する往復鋸ブレードと併せて実装されるときに有利である。さらに、１つのレシプブレードが、先行技術の単一切り刃のレシプブレードよりも多くの異なる切断用途に使用されうる。
【００３４】
図２に示すように、第１のタング２４は、第１の切り刃２８に対応し、またその切り刃に関する効果的なタング角度または切断角度を規定する第１のタング角度α１を規定する。第２のタング２６は、第２の切り刃３０に対応し、またその切り刃に関する効果的なタング角度または切断角度を規定する第２のタング角度または切断角度α２を規定する。効果的なタング角度は、切り刃が対応する（１つ以上の）切断用途で効果的にワークピースを切断することを可能にする。典型的には、効果的なタング角度または切断角度は、ブレードの延び方向軸線もしくは長手方向軸線に対して、またはタングの延び方向軸線もしくは長手方向軸線に対して内方へ鋭角で、全体的に切り刃の切断方向に向かって角度付けられるように切り刃および／またはタングを配向させる。その結果、効果的なタング角度または切断角度は、切断ストロークの際にストロークにわたって完全にワークピースに噛み込んだ歯のすくい面または切り刃を維持することを容易にする。鋭角のタング角度または切断角度は、歯が０°または実質的に０°のすくい角を規定する場合であっても、歯に対する効果的な正のすくい角を与える。本明細書の教示に基づいて関連技術の当業者によって理解されうるように、各タングまたは切断角度は、対応する切り刃に対して調整され、その切り刃の対応する１つ以上の切断用途についてその切り刃の切断性能を最適化される。したがって、第１のタング角度α１は、第２のタング角度α２と実質的に同じ、または第２のタング角度α２よりも大きいもしくは小さい可能性がある。好ましくは、第１および第２のタング角度α１およびα２はそれぞれ、約１°から約１０°の範囲内であり、より好ましくは約３°から約８°の範囲内であり、いくつかの実施形態では、より好ましくは約５°から約７°の範囲内である。現時点で好ましい一実施形態では、各タング角度は、約６°±１／２°である。
【００３５】
切断要素は、第１および第２の切り刃２８、３０のそれぞれに配置される。図２に示すように、第１の切り刃２８は、複数の第１の切断要素または歯３６、３６によって規定され、第２の切り刃３０は、複数の第２の切断要素または歯３８、３８によって規定される。本明細書の教示に基づいて関連技術の当業者によって理解されうるように、第１および第２の切断要素３６、３８は、それぞれの切断要素について、例えば、特定の歯の幾何学形状または形態（例えば、第１の逃げ角および該当する場合は第２および／または第３の逃げ角を設定することによる）、ピッチすなわち１インチ当たりの歯の数（「ｔｐｉ」）、ならびに／あるいは歯の高さもしくは高さの差および／またはあさりに基づいて構成される。図示の実施形態では、第１の切り刃２８は、金属切断用途のために構成され、約１４ｔｐｉのピッチを規定し、第２の切り刃３０は、釘と木材の用途のために構成され、６ｔｐｉのピッチを規定する。図２Ａに典型的に示すように、第１の金属切断歯３６、３６は、第１の逃げ角４０、第２の逃げ角４２、および刃溝深さＤ１を規定する。各逃げ角は鋭角であり、第１の逃げ角は第２の逃げ角より小さい。好ましくは、第１の逃げ角は、約２５°から約４０°の範囲内であり、第２の逃げ角は、約４０°から約５０°の範囲内である。図示の実施形態では、第１の逃げ角４０は約３０°であり、第２の逃げ角４２は約４５°であり、歯溝深さＤ１は約０．０３４インチ（約０．８６ｍｍ）である。図２Ｂに典型的に示すように、第２の釘と木材切断歯３８、３８は、第１の逃げ角４４、第２の逃げ角４６、および歯溝深さＤ２を規定する。各逃げ角は鋭角であり、第１の逃げ角は第２の逃げ角より小さい。好ましくは、第１の逃げ角は、約１５°から約２５°の範囲内であり、第２の逃げ角は、約３５°から約４５°の範囲内である。図示の実施形態では、第１の逃げ角４４は約１７°であり、第２の逃げ角４６は約４０°であり、歯溝深さＤ２は約０．０７８インチ（約１．９８ｍｍ）である。本明細書の教示に基づいて関連技術の当業者によって理解されうるように、特定の角度および寸法を含むこれらの具体的な歯の形態は、例示に過ぎず、現在知られているまたは後に知られることになる多数の異なる逃げ角および他の寸法の任意のものを含む多数の異なる歯の形態のいずれとしてもよい。
【００３６】
第１および第２の切り刃２８および３０はそれぞれ、同じであってよく、あるいは、多数の異なる切断用途の任意の切断用途に効果的であるために、限定としてではなく、歯を一方の切り刃に有し研磨面もしくは砥粒を他方の切り刃に有すること、または異なる歯の形態、ピッチ、高さ、高さの差、あさりなどを有することを含む多数の方法のいずれにおいても異なっていてよい。下記の表Ａは、第１および第２の切り刃２８および３０それぞれの切断用途の例示的組み合わせを示す。
【００３７】
【表１】
0005752719.tif 000002
【００３８】
表Ａに記載されたまたは他の所望される様々な用途では、異なる構成の切り刃、例えば、歯と砥粒（グリット：ｇｒｉｔ）、あるいは、異なる構成の歯、歯の形態、ピッチ、高さ、高さの差、セット、および／またはタイプ、例えば、バイメタル、カーバイドチップ、もしくは炭素鋼の歯を要することがあることは当業者には理解されるであろう。また、本明細書の教示に基づいて関連技術の当業者によって理解されうるように、第１の切り刃２８、第２の切り刃３０、およびそれらに配置されるそれぞれの切断要素３６、３８は、例示に過ぎず、限定としてではなく、様々なタイプのダイアモンド、カーバイド、もしくは他の研磨または砥粒切り刃、カーバイドチップ切り刃、バイメタル切り刃、または鋼切り刃を含む、現在知られているまたは後に知られることになる多数の異なるタイプの切断要素の任意の形態を取ることができる。例えば、金属または薄い金属の切断用の切り刃の現時点で好ましい実施形態は、約２４ｔｐｉから約１８ｔｐｉまでの範囲内のピッチを規定し、その範囲内で変わるピッチを含み、薄い金属切断用切り刃は、好ましくは、約１４ｔｐｉのピッチを規定し、汎用切り刃は、好ましくは、約１４ｔｐｉから約８ｔｐｉの範囲内のピッチを規定し、その範囲内で変わるピッチを含み、木材切断用切り刃は、好ましくは、約６ｔｐｉから約３ｔｐｉの範囲内のピッチを規定し、異なる木材の形態、例えば、釘が埋め込まれた木材と対照的なきれいな木材を切断するための形態などを規定し、解体用切り刃は、好ましくは、約６ｔｐｉから約３ｔｐｉの範囲内のピッチを規定し、好ましくは、金属と木材の両方を切断できる歯の形態を規定する。
【００３９】
本発明のレシプブレードは、表Ａに記載の任意の組み合わせ、あるいは現在知られているまたは後に知られることになる多数の他の任意の組み合わせを含むことができることは理解されよう。さらに、第１の切り刃２８は、第２の切り刃３０について表Ａに記載された任意の用途のために構成されてもよく、逆も同様である。いくつかの実施形態では、２つの切り刃２８、３０は同じ用途のために構成されることも理解されよう。そうした実施形態では、消費者が、２つの別個のブレードを購入するのに比べて全体的にコストが低くなる同じ用途の二切り刃を有する単一ブレード２０を得られる。したがって、本発明のレシプブレードの切り刃は、上にまとめたような所望の切断用途を実施するための現在知られているまたは後に知られることになる多数の異なる形態のうち任意の形態を取ることができる。したがって、本発明のレシプブレードは、上にまとめたような所望の切断用途を実施するための現在知られているまたは後に知られることになる多数の異なる形態のうち任意の形態を取ることができる。
【００４０】
以下の表ＢおよびＣにまとめられた試験結果で示されるように、本発明のレシプブレードは、予想外に改善された結果をもたらしている。第１に、図２に示したタイプの両側レシプブレードが、非稼働または第２の切り刃の未使用（または新たな）切断要素を有するとき、稼動または第１の切り刃が、単一切り刃のレシプブレードの同じタイプの切り刃に対して著しく改善された性能を示すことが予想外に発見された。第２に、上記の結果に鑑みて、第２の切り刃（すなわち、２番目にまたは他方の切り刃が摩耗した後に使用される切り刃）は単一切り刃のレシプブレードの同じタイプの切り刃に比べて劣った性能を示すことが当然予想される。しかし、第１の切り刃の後に使用される本発明のブレードの第２の切り刃もまた、新しい単一切り刃のレシプブレードの同じタイプの切り刃に対して改善された性能を示した。
【００４１】
【表２】
0005752719.tif 000003
【００４２】
【表３】
0005752719.tif 000004
【００４３】
上記の表ＢおよびＣに示されるように、試験されたブレードは、図２に示したタイプのブレードであり、一方の切り刃は１８ｔｐｉのピッチを規定し、他方の切り刃は１０ｔｐｉのピッチを規定した。１８ｔｐｉの切り刃は、１＋１／２インチ（３．８ｃｍ）径の鋼性電気機械チューブ（「ＥＭＴ」）を約１５００ｓｐｍの切断速度で切断することで試験され、１０ｔｐｉの切り刃は、１インチ（２．５ｃｍ）径の鋼性黒管をやはり約１５００ｓｐｍの切断速度で切断することで試験された。すべての切り刃は、ブレードの寿命、すなわち「切断回数」と切断速度、すなわち「切断時間、最初の切断」との両方について試験された。１８ｔｐｉ切り刃の試験パラメータは、以下の通りであった。（ｉ）ブレード寿命（または故障閾値）が「２０秒／４５秒」に設定され、つまり、各試験された切り刃は、３回の連続した切断の切断当たりの平均時間が２０秒以上、または１回の切断が４５秒以上であったとき、故障した（または完全に摩耗した）とみなされ、（ｉｉ）切断時間は、各切り刃が、最初にワークピースを切り通す、すなわち、切断線に沿ったワークピースの完全な分離を達成する測定時間であった。同様に、１０ｔｐｉ切り刃の試験パラメータは、以下の通りであった。（ｉ）ブレード寿命（または故障閾値）が「９０秒／１２０秒」に設定され、つまり、各試験された切り刃は、３回の連続した切断の切断当たりの平均時間が９０秒以上、または１回の切断が１２０秒以上であったとき、故障した（または完全に摩耗した）とみなされ、（ｉｉ）切断時間は、各切り刃が、最初にワークピースを切り通す、すなわち、切断線に沿ったワークピースの完全な分離を達成する測定時間であった。
【００４４】
見て分かるように、本発明の両側レシプブレードの１８ｔｐｉ切り刃は、切り刃当たり平均で１７４．５回の切断を達成し、それに対し、片側レシプブレードの同じタイプの切り刃は、平均で１４２．３回の切断を達成した。したがって、この試験では、本発明のレシプブレードの切り刃は、平均で２２．６％改善されたブレード寿命を達成した。同様に、本発明の両側レシプブレードの１０ｔｐｉ切り刃（これらは、対応する１８ｔｐｉ切り刃が使用され摩耗した後に試験された）は、切り刃当たり平均で３８２．２回の切断を達成し、それに対し、片側レシプブレードの同じタイプの切り刃は、平均で３３７．８回の切断を達成した。したがって、この試験では、本発明のレシプブレードの切り刃は、平均で１３．１％改善されたブレード寿命を達成した。本発明の両側レシプブレードの両方の切り刃について、切断時間は、片側レシプブレードの同じタイプの切り刃の切断時間と比べてほとんど同じかもしくは短かった。
【００４５】
図２に示すように、第１および第２のタング２４、２６のそれぞれが、第１の前縁部４８、第１の側縁部５０、および第１の背縁部５２を規定する。各第１の前縁部４８は、ネッキング５４によって、対応する切り刃２８または３０から所定の距離だけ横方向にずれている。各ネッキング５４は、対応する切り刃２８または３０の内端を規定し、図示の実施形態では、曲線をなしている。ネッキング５４によって形成されるずれの度合いは、関連技術の当業者に知られる様々な要因に応じて異なる場合がある。各第１の前縁部４８および第１の背縁部５２は、実質的にまっすぐまたは直線状であり、対応する第１の側縁部５０に対して実質的に垂直である。各第１の背縁部５２は、好ましくは、ネッキング５６によって対応するタングの非稼働刃から所定の距離だけずれている。各第１の背縁部５２は、実質的にまっすぐまたは直線状であり、また対応する第１の前縁部４８に対して実質的に平行である。各タング２４、２６はさらに、タングを貫通するタング開口５８、およびタング面取り６０を規定する。タング開口５８の１つの目的は、クランプ装置の構成または構造が許す限り、タング開口５８を介して連結要素（例えば、スタッドまたはピン）を使用することにより、ブレード２０を特定のクランプ装置（例えば、チャック）に固定または連結することに関連して、強度を増大しまた別の面では安全性を高めることである。したがって、タング開口５８は、様々な異なるチャックまたは類似の連結要素の任意のものを作用的に受け入れるように、大きさ、形状、位置、および／または構成が決められうる。タング面取り６０は、好ましくは、図示のように実質的に曲線をなす。タング面取り６０の１つの目的は、様々な異なるチャックまたは他のクランプ装置への効果的かつ効率的なタングの挿入を促進することである。本明細書の教示に基づいて関連技術の当業者によって理解されうるように、タングの上述の特徴は、例示に過ぎず、本発明のブレードのタングは、現在知られているまたは後に知られることになる多数の異なるタング形状および／または構成の任意の形状および／または構成を採ることができ、それらには、限定としてではなく、切断面に対して角度付けられたタング、上述の特徴と同じまたは類似する特徴を有するがいくつかの上述の特徴が省かれたタング、および／または上述の特徴に加えていくつかの特徴を有するタングが含まれる。
【００４６】
各タング２４、２６はさらに、往復鋸のチャックまたは類似のタング結合装置に受容されるために、当該タング上を後方に延び、タングの幅が狭い部分を規定するタングステム６２を備える。各タングステム６２は、第２の側縁部６４および第２の背縁部６６を規定する。各タングステムの前縁部は、タングの延長または長手方向前縁部４８によって規定される。各第２の側縁部６４は、対応する前縁部４８または背縁部５２に対して実質的に垂直である。各側縁部６４は、実質的にまっすぐまたは直線状である。本明細書の教示に基づいて関連技術の当業者によって理解されうるように、タングステムのこれらの特徴は例示に過ぎず、本発明のブレードのタングステムは、現在知られているまたは後に知られることになる多数の異なるタングステム形状および／または構成の任意の形状および／または構成を取ることができる。例えば、タングおよび／またはタングステムは、本発明の譲受人に譲受され、また現在米国特許第７，６００，４５８号とされる「Ｒｅｃｉｐｒｏｃａｔｉｎｇ  Ｓａｗ  Ｂｌａｄｅ  Ｗｉｔｈ  Ｔａｐｅｒｅｄ  Ｔａｎｇ  Ｓｔｅｍ」という名称の２００５年４月１５日に出願された同時係属の米国特許出願第１１／１０６，９０７号に開示されたタングまたはテーパ付きタングステムの任意の形態を取ることができる。この文献を本開示の一部としてその全体を明示的に引用して援用する。
【００４７】
上述のように、往復ブレードのタングは、ブレードがチャックによって結合されることが可能なような大きさおよび形状にされる。本発明の代替実施形態では、１つ以上のタングの特定の設計が、２分の１インチ（１．３ｃｍ）の汎用化タングのような広く使用される往復鋸およびチャックに適合する標準または従来の設計に従うことができる。他の代替実施形態では、タングは、急速交換チャックなど往復鋸の独自または特殊なチャックに適合する（すなわち、解除可能に係合されることができる）ような形状および寸法になされる。他の代替実施形態では、レシプブレードは、例えば、異なるタイプのチャックまたは異なるタイプの往復鋸に適合するように、互いに異なる２つのタングを含む。そのような代替実施形態は企図され、当技術分野で現在知られているまたはまだ知られていないすべてのタング／チャックの設計を含むものである。
【００４８】
図３および３Ａでは、本発明を実施する他の両側レシプブレードが、全体として参照番号１２０で示されている。レシプブレード１２０は、図２、２Ａ、および２Ｂを参照して先に説明したレシプブレード２０に類似し、したがって、数字「１」が前に付く同様の参照番号が同様の要素を示すために使用される。レシプブレード１２０は、延長タング縁部１４８および１５２を規定するブレード本体１２２の一端にある単一のタング１２４を備え、延長タング縁部１４８および１５２は、互いにタングの反対側に配置され、往復鋸のチャックによって解除可能に係合されるように構成される。図３および３Ａの図示の実施形態では、往復鋸ブレード１２０は、ブレード１２０の一端に単一のタング１２４を備え、ブレードの他端１２５は、タングを有さず往復鋸のチャックによって結合可能ではない自由端を規定する。
【００４９】
第１の切り刃１２８は、第１の切り刃に沿って長手方向または軸線方向に延びる、複数の第１の切断要素の個別切断セグメントまたはグループ１３６、１３６によって規定され、第２の切り刃１３０は、第２の切り刃に沿って長手方向または軸線方向に延びる、複数の第２の切断要素の個別切断セグメントまたはグループ１３８、１３８によって規定される。図３Ａに典型的に示されるように、第１および第２の切断セグメントまたは切断要素のグループ１３６、１３６および１３８、１３８のそれぞれは、延長タング縁部１４８または１５２のいずれか（あるいはブレード本体１２２の長手方向軸、切断方向、往復方向、またはブレード往復の経路の軸）に対してそれぞれの鋭角切断角度α１で配向され、これにより、それぞれの切断要素の切断セグメントまたはグループ１３６、１３６または１３８、１３８が規定される。
【００５０】
図示の実施形態では、タング１２４の延長縁部１４８、１５２は、ブレード本体１２２の延び方向または長手方向軸線１２３に実質的に平行である。図示の実施形態では、第１の切り刃１２８は、複数の第１の歯のグループ１３６、１３６を備える。図３Ａに示すように、各第１の歯のグループ１３６、１３６は、それぞれの第１の切断角度α１を、当該第１の歯のグループの歯の先端の間（例えば、任意の非あさり歯の先端の間など）に延びる平面と、図３および３Ａに典型的に示されるような、タングの延長縁部１４８もしくは１５２、またはブレード本体１２２の延長軸１２３、または上記のいずれかに実質的に平行に延びる線との間に規定する。図示の実施形態では、複数の第１の切断角度α１は、ほぼ同じである。しかし、関連技術の当業者によって理解されうるように、第１の切断角度α１は、グループごとに変化してよく、あるいはそれぞれの切り刃に沿って変化してもよい。
【００５１】
第２の切り刃１３０は、複数の第２の歯のグループ１３８、１３８を備える。各第２の歯のグループ１３８、１３８は、それぞれの第２の切断角度α２を、当該第２の歯のグループの歯１３８、１３８の先端の間に延びる平面と、タング１２４の延長縁部１４８もしくは１５２、ブレード本体１２２の延長軸１２３、または上記のいずれかに平行にもしくは実質的に平行に延びる線との間に規定する。いくつかのそのような実施形態では、複数の第２の切断角度α２は、ほぼ同じである。しかし、本明細書の教示に基づいて関連技術の当業者によって理解されうるように、第２の切断角度α２は、グループごとに変化してよく、あるいはそれぞれの切り刃に沿って変化してもよい。さらに、第１および第２の切断角度α１およびα２は、同じでも異なってもよく、所望に応じて、特定の用途のために有効な切断角度を与えるために、それぞれの切断要素の切断セグメントまたはグループの構成に基づいて、設定される。さらに、切断セグメントまたは切断要素は、砥粒エッジなどの研磨エッジによって規定される個別切断セグメントのような現在知られているまたは後に知られることになる多数の異なる切断セグメントまたは切断要素の任意の形態を取ることができ、それらには、限定としてではなく、カーバイドグリットエッジもしくはダイアモンドグリットエッジ、切歯によって規定される個別切断要素、および／または上記の任意の組み合わせが含まれる。例えば、本発明の代替実施形態では、少なくとも１つのセグメントは、その上に複数の切歯によって規定される複数の切断要素を備え、少なくとも１つの他のセグメントは、その上にグリットなどの研磨面によって規定される複数の切断要素を備え、研磨面は、限定としてではなく、カーバイドグリットまたはダイアモンドグリットを含む。
【００５２】
本発明の鋸ブレードの動作ステップは、以下のステップを含む。
【００５３】
（ｉ）レシプブレード２０の第１の切り刃２８を、第１の切り刃についての効果的な切断角度を規定する（図２に示した第１の効果的タング角度α１によって規定されるような）往復運動の軸線に対する第１の切断角度で、往復鋸により往復運動するよう駆動するステップと、
（ｉｉ）往復鋸のチャックから往復鋸ブレード２０のタング２４を取り外し、ブレード２０を反転し、往復鋸ブレードの異なるもしくは第２のタング２６を、往復鋸のチャックに取り付け、往復鋸ブレード２０の第２の切り刃３０であって第１の切り刃２８に対して往復鋸の反対側の側辺に配置された第２の切り刃３０を使用のために提供するステップと、
（ｉｉｉ）往復鋸ブレード２０の第２の切り刃３０を、第２の切り刃３０についての効果的な切断角度を規定する往復運動の軸線に対する（図２に示した第２の効果的タング角度α２によって規定されるような）第２の切断角度で、往復鋸により往復運動するよう駆動するステップと、
を含む。
【００５４】
本発明の鋸ブレードの他の動作ステップは、以下のステップを含む。
【００５５】
（ｉ）レシプブレード１２０の第１の切り刃１２８を、第１の切り刃についての効果的な切断角度を規定する（図３に示した第１の効果的タング角度α１によって規定されるような）往復運動の軸線に対する第１の切断角度で、往復鋸により往復運動するよう駆動するステップと、
（ｉｉ）往復鋸のチャックから往復鋸ブレード１２０のタング１２４を取り外し、ブレード２０、１２０を裏返し、往復鋸ブレードの同じタング１２４を往復鋸のチャックに取り付け、往復鋸ブレード１２０の第２の切り刃１３０であって第１の切り刃１２８に対して往復鋸の反対側に配置された第２の切り刃１３０を使用のために提供するステップと、
（ｉｉｉ）往復鋸ブレード１２０の第２の切り刃１３０を、第２の切り刃１３０についての効果的な切断角度を規定する往復運動の軸線に対する（図３に示した第２の効果的切断角度α２によって規定されるような）第２の切断角度で、往復鋸により往復運動するよう駆動するステップと、
を含む。
【００５６】
動作ステップは、好ましくは、ブレード２０、１２０の押しストロークまたは引きストロークの間、第１の切り刃２８、１２８によってワークピースを切断するステップと、ブレードの押しストロークまたは引きストロークのうち他方の間、第２の切り刃３０、１３０によってワークピースを切断するステップとをさらに含む。前述のように、この態様は、本発明のレシプブレードの使用により予想外に改善された性能を生じさせると考えられる。
【００５７】
本明細書の教示に基づいて関連技術の当業者によって理解されうるように、添付の特許請求の範囲に規定される本発明の範囲から逸脱することなく、本発明の上記および他の実施形態に対して多数の変更および変形がなされうる。例えば、レシプブレードは、１つ以上のタングを備えることができる。１つのタングが、ブレードの第１の切り刃を駆動するために使用され、その切り刃についての効果的なタング角度を規定する。同じタングまたは別のタングが、ブレードの第２の切り刃を駆動するために使用されるが、第２の切り刃についての効果的タング角度を規定しない。その代わり、第２の切り刃は、研磨もしくは砥粒切断セグメントのような複数の切断セグメント、または複数のグループの切歯を備え、そのような切歯の各切断セグメントまたはグループが、ブレードの対応するタングまたは延長軸に対して鋭角切断角度で配向されることにより、そのような切歯の切断セグメントまたはグループによってワークピースが効果的に切断されるようになる。また、上記の鋸ブレードの特徴の多くは、例示に過ぎず、所望に応じて、あるいは特定用途の要件を満たすために必要に応じて変更されうる。例えば、いくつかの実施形態では、切り刃は、カーバイドチップ、バイメタル、または従来の炭素鋼の歯などの切歯によって規定されうる。また、本発明の鋸ブレードは、窒化チタンコーティング（ＴｉＮ）または窒化アルミニウムチタンコーティング（ＡｌＴｉＮ）などの現在知られているまたは後に知られることになる多数の異なるコーティングの任意のものによってコーティングされうる。したがって、この現時点で好ましい実施形態の詳細な説明は、限定的意味ではなく例示として捉えられるべきである。
【図１】
0005752719.tif 000005
【図２】
0005752719.tif 000006
【図２Ａ】
0005752719.tif 000007
【図２Ｂ】
0005752719.tif 000008
【図３】
0005752719.tif 000009
【図３Ａ】
0005752719.tif 000010